(57)【要約】      （修正有）【課題】水などのゴミ以外のものがゴミ袋に入り込み難く、所望の場所に取り付けて使用できる簡易ゴミ入れを提供する。【解決手段】簡易ゴミ入れ１は、ゴミ袋を装着して使用され、固定対象に取り付け可能な取付け部２を有する支持部３と、支持部３に連結され、且つゴミ袋の挿入口を拡げた状態で装着可能な枠部４と、枠部４の開口を開閉する蓋部であってヒンジ部を介して回動可能に設けられた蓋部５と、を有する。【選択図】図１
0003235172.tif 000002
【実用新案登録請求の範囲】
【請求項１】
ゴミ袋を装着して使用する簡易ゴミ入れであって、
固定対象に取り付け可能な取付け部を有する支持部と、
前記支持部に連結され、且つゴミ袋の挿入口を拡げた状態で装着可能な枠部と、
前記枠部の開口を開閉する蓋部であってヒンジ部を介して回動可能に設けられた蓋部と、
を有する簡易ゴミ入れ。
【請求項２】
前記回動可能な蓋部が、前記枠部の開口を開放する全開位置、前記枠部の開口を塞ぐ全閉位置、及び、前記全開位置と全閉位置の中間的な半開位置のそれぞれで止まるように構成されている、請求項１に記載の簡易ゴミ入れ。
【請求項３】
前記蓋部には、前記半開位置にて蓋部が止まるように、前記枠部に仮係止される仮係止部が設けられている、請求項２に記載の簡易ゴミ入れ。
【請求項４】
前記取付け部が、帯状部とロック部を有し、
前記帯状部に、長さを表す目印が設けられている、請求項１乃至３のいずれか一項に記載の簡易ゴミ入れ。
【考案の詳細な説明】
【技術分野】
【０００１】
本考案は、任意の場所で簡単に使用できる簡易ゴミ入れに関する。
【背景技術】
【０００２】
ゴミを入れる（ゴミを捨てる）ゴミ入れとしては、一般に、上面開口型の容器からなるゴミ箱が使用されている。また、特許文献１に記載されているような、１枚の板材を丸めることによって形成されたゴミ箱本体にポリ袋を装着し、さらに、吸盤付きのつり下げ部を前記ゴミ箱本体に設けた簡易ゴミ箱も知られている。
【先行技術文献】
【特許文献】
【０００３】
【特許文献１】特許第６２１２６８０号公報
【考案の概要】
【０００４】
ところで、例えば、フィッシングレジャーとして、遊漁船や乗合船などのいわゆる釣り船（釣り船には個人所有のボートも含まれる）に乗って、多くの人が釣行している。前記釣り船には、風で飛ばないように固定又は比較的重量のあるゴミ箱が設置されていることが多く、このようなゴミ箱は、上面開口型の容器からなる。釣り人は、要らなくなったもの（ゴミ）を、釣り座からゴミ箱まで捨てに行く。しかしながら、中には、釣り座から離れることを面倒がり、水中に又は釣り座周辺にゴミを捨てる釣り人も散見される。この点、特許文献１のような簡易ゴミ箱を釣り座に設置することも考えられるが、ポリ袋に海水や雨水などの水が入り込むなどの問題がある。さらに、吸盤を釣り座周辺に吸着させることが困難である。
【考案が解決しようとする課題】
【０００５】
本考案の課題は、水などのゴミ以外のものがゴミ袋に入り込み難く、所望の場所に取り付けて使用できる簡易ゴミ入れを提供することである。
【課題を解決するための手段】
【０００６】
本考案の簡易ゴミ入れは、ゴミ袋を装着して使用され、固定対象に取り付け可能な取付け部を有する支持部と、前記支持部に連結され、且つゴミ袋の挿入口を拡げた状態で装着可能な枠部と、前記枠部の開口を開閉する蓋部であって、ヒンジ部を介して回動可能に設けられた蓋部と、を有する。
【０００７】
本考案の好ましい簡易ゴミ入れは、前記回動可能な蓋部が、前記枠部の開口を開放する全開位置、前記枠部の開口を塞ぐ全閉位置、及び、前記全開位置と全閉位置の中間的な半開位置のそれぞれで止まるように構成されている。
本考案の好ましい簡易ゴミ入れは、前記蓋部には、前記半開位置にて蓋部が止まるように、前記枠部に仮係止される仮係止部が設けられている。
本考案の好ましい簡易ゴミ入れは、前記取付け部が、帯状部とロック部を有し、前記帯状部に、長さを表す目印が設けられている。
【考案の効果】
【０００８】
本考案の簡易ゴミ入れは、蓋部が設けられているので、ゴミ袋内に水などのゴミ以外のものが入り難くなり、また、取付け部が設けられているので、所望の場所に取り付けて使用できる。
本考案の好ましい簡易ゴミ入れは、蓋部が全開位置及び全閉位置においてそれぞれ止まるように構成されているので、不用意に蓋部が閉じ又は開くことを防止でき、さらに、蓋部が半開位置において止まるように構成されているので、蓋部の開閉を操作し易い。
また、本考案の好ましい簡易ゴミ入れは、取付け部の帯状部に長さを表す目印が設けられているので、例えば、釣った魚の長さなどを計測するメジャーとして利用できる。
【図面の簡単な説明】
【０００９】
【図１】本考案の簡易ゴミ入れの斜視図。
【図２】簡易ゴミ入れにゴミ袋を装着する過程を示す側面図。
【図３】ゴミ袋を装着し且つ蓋部を全閉位置にした状態の側面図。
【図４】図３のＩＶ−ＩＶ線で切断した一部省略拡大断面図。
【図５】支持部及び枠部の一部を構成する部材を下方側から見た斜視図。
【図６】同側面図。
【図７】枠部の一部を構成する部材を下方側から見た斜視図。
【図８】蓋部の平面図（平面図は、上方から見た図）。
【図９】蓋部の底面図（底面図は、下方から見た図）。
【図１０】取付け部の平面図。
【図１１】取付け部の中間省略拡大斜視図。
【図１２】蓋部を全開位置にした状態の側面図。
【図１３】図１２のＸＩＩＩ−ＸＩＩＩ線で切断した一部省略拡大断面図。
【図１４】蓋部を半開位置にした状態の側面図。
【図１５】図１４のＸＶ−ＸＶ線で切断した一部省略拡大断面図。
【図１６】本考案の簡易ゴミ入れの使用状態を示す参考図。
【考案を実施するための形態】
【００１０】
図１は、本考案の簡易ゴミ入れ１を示し、図２は、前記簡易ゴミ入れ１にゴミ袋８を装着する途中の状態を示し、図３及び図４は、前記簡易ゴミ入れ１にゴミ袋８を装着し且つ蓋部５によって枠部４の開口が塞がれた状態（蓋部５が全閉位置にある状態）を示す。
図１乃至図４を参照して、簡易ゴミ入れ１は、固定対象に取り付け可能な取付け部２を有する支持部３と、前記支持部３に連結され且つゴミ袋８の挿入口を拡げた状態で装着可能な枠部４と、前記枠部４の開口を開閉し且つヒンジ部６１を介して回動可能に設けられた蓋部５と、を有する。本考案の簡易ゴミ入れ１は、前記枠部４にゴミ袋８を装着して使用される。
枠部４は、第１枠４１と第２枠４２とを有する。図２に示すように、第２枠４２を第１枠４１から外し、第１枠４１の内側にゴミ袋８を挿入し、前記ゴミ袋８の挿入口を形成する上方領域を第１枠４１の上側に捲り出し、その上に第２枠４２を被せることにより、図３及び図４に示すように、第１枠４１と第２枠４２の間にゴミ袋８を保持できる。なお、第１枠４１と第２枠４２によるゴミ袋８の保持を解除することによって、ゴミ袋８を取り替えることができる。
以下、具体的に説明する。
【００１１】
図５及び図６は、支持部３及び枠部４の一部（第１枠４１）を構成する部材を示す。
図１乃至図６を参照して、支持部３は、取付け部２、枠部４及び蓋部５を直接的に又は間接的に支持する部分である。枠部４は、ゴミ袋８を装着する部分であり、例えば、第１枠４１と第２枠４２とを有する。
支持部３の一方端部には取付け部２が連結され、その反対側の端部には第１枠４１が連結されている。取付け部２については、後に詳述する。第１枠４１は、内側に開口が形成された環状体である。第１枠４１は、例えば、上面視で略円環状に形成されている。なお、特に図示しないが、第１枠４１は、上面視で略楕円環状、略四角環状、略六角環状などに形成されていてもよい。また、第１枠４１は、図４に示すように、例えば、断面視で逆Ｕ字状に形成されている。第１枠４１の、前記支持部３とは反対側には、上方に突出された突起部４１１が設けられている。この突起部４１１の突出高さは、第２枠４２が第１枠４１に接したときに（例えば、第１枠４１に第２枠４２を嵌合させたときに）、第２枠４２の窓部４２２から上方に突出する程度である。好ましくは、第２枠４２が第１枠４１に接したときに、突起部４１１の上面が切欠き部４２１の上面４２１ａの上方に突出し且つ第２枠４２の上面から突出しない程度の突出高さで、突起部４１１が設けられている。
支持部３と第１枠４１は、それぞれ別体で形成して両者を接着剤又は機械構造的な手段で連結してもよく、両者を一体的に形成することにより支持部３と第１枠４１を連結してもよい。図示例では、支持部３と第１枠４１は一体的に形成されている。支持部３及び第１枠４１の材質は、特に限定されず、例えば、支持部３及び第１枠４１は、ポリエチレン、ポリプロピレンなどの汎用的な合成樹脂などから形成される。図示例では、支持部３と第１枠４１は、ポリプロピレンなどの合成樹脂の一体成形品から構成されている。
支持部３には、第２枠４２のアーム部４４を取り付けるための台座部３１が設けられている。前記台座部３１は、例えば、支持部３の上面から突出されている。台座部３１の突出端部には、側面視で円弧状を成した部分を有する掛止部３２が設けられている。
【００１２】
図７は、枠部４の一部（第２枠４２）を構成する部材を示す。
図１乃至４及び図７を参照して、枠部４を構成する第２枠４２は、内側に開口が形成された環状体である。ゴミ袋８を枠部４に装着すると、ゴミ袋８の挿入口が第２枠４２の開口内において拡がった状態となり、その挿入口からゴミ袋８内にゴミを入れることができる。
第２枠４２は、上面視で第１枠４１と略同形状の環状に形成されている。図示例のように、第１枠４１が上面視で略円環状に形成されている場合、第２枠４２も上面視で略円環状に形成される。特に図示しないが、第１枠４１が例えば上面視で略四角環状に形成される場合、第２枠４２も上面視で略四角環状に形成される。
第２枠４２は、第１枠４１の上に被さってゴミ袋８を保持できるように、第１枠４１に対して部分的に又は略全体的に接するような形状に形成されている。例えば、第２枠４２は、断面視で逆Ｕ字状に形成されており、その逆Ｕ字状の第２枠４２は、第１枠４１の上面、内周面及び外周面に接して第１枠４１に嵌合する。
第２枠４２の一方端部には、舌状の枠指掛け部４３が延出されている。この枠指掛け部４３は、第２枠４２を第１枠４１に嵌合させた状態で、第１枠４１よりも外側に突出する程度で延出されている。
また、第２枠４２のうち、前記枠指掛け部４３に対応する箇所には、切欠き部４２１と開口である窓部４２２と、が形成されている。切欠き部４２１の上面４２１ａは、第２枠４２の上面よりも下方に位置し、切欠き部４２１の上面の内側に前記窓部４２２が形成されている。
【００１３】
第２枠４２には、アーム部４４が連結されている。アーム部４４は、第２枠４２の、前記枠指掛け部４３とは反対側の端部に設けられている。第２枠４２は、アーム部４４を介して支持部３の台座部３１に回動可能に取り付けられている。アーム部４４は、ヒンジ部にて支持部３に回動可能に設けられている。詳しくは、前記アーム部４４の、第２枠４２が連結された側とは反対側の端部には、軸部４５が設けられている。アーム部４４の軸部４５を台座部３１の掛止部３２に枢着させることにより、アーム部４４（及びアーム部４４に連結された第２枠４２）は、前記軸部４５を回転中心軸として回動可能である。前記軸部４５と掛止部３２は、ヒンジ部に相当する。なお、特に図示しないが、台座部３１に軸部を設け、アーム部４４に掛止部を設けてもよい。また、アーム部４４には、後述する蓋部５の固着部が取り付けられる被固着部４６と、その被固着部４６と第２枠４２の間であって幅方向略中央部に開口された収容空隙部４７と、が形成されている。被固着部４６は、例えば、板状又は棒状の部分からなる。アーム部４４は、開口部である収容空隙部４７を挟んで幅方向に一対設けられている。
第２枠４２を回動させることにより、第２枠４２を第１枠４１に被せて嵌合でき、また、第２枠４２を第１枠４１から離して外すこともできる。この際、前記枠指掛け部４３に指先を掛けることにより、第２枠４２を回動させて容易に第１枠４１から外すことができる。さらに、上述のように、第２枠４２が第１枠４１に接したときに（例えば、第１枠４１に第２枠４２を嵌合させたときに）、突起部４１１が窓部４２２から覗き出て、突起部４１１の上面が切欠き部４２１の上面４２１ａよりも上方に突出する。かかる突起部４１１の上面を下方に押すことにより、第２枠４２を第１枠４１から容易に外すことができる。特に、前記枠指掛け部４３への指掛けと突起部４１１の押し込みの相乗により、第２枠４２を第１枠４１から極めて容易に外すことができる。
第２枠４２及びアーム部４４は、ポリエチレン、ポリプロピレンなどの汎用的な合成樹脂などから形成され、好ましくは、合成樹脂の一体成形品から構成されている。
【００１４】
図８及び図９は、蓋部５を構成する部材を示す。
図１乃至４、図８及び図９を参照して、蓋部５は、枠部４の開口（第２枠４２の開口）を塞ぐものである。蓋部５によって、枠部４の開口内に拡がったゴミ袋８の挿入口を開閉できる。
蓋部５は、蓋本体５１と、前記蓋本体５１の下方に突出されたフランジ部５２と、を有する。図示例では、蓋本体５１の外形は、貝殻を象った形状に形成されている。なお、蓋本体５１の外形は、このような形状に限られず、単なる平面状、キャラクターを象った形状、魚や犬などの動物を象った形状、その他任意の形状に形成されていてもよい。
フランジ部５２の下方は、蓋部５を全閉位置にしたときに、枠部４（例えば第２枠４２）に接する。フランジ部５２が枠部４（例えば第２枠４２）に接することにより、枠部４の開口が蓋部５によって塞がれる。ただし、簡易ゴミ入れ１は精密機械ではないので、全閉位置の蓋部５と枠部４（図示例では、フランジ部５２の下面と第２枠４２の上面）の間に少し隙間を有することがあることに留意されたい。フランジ部５２は、例えば、下面視で第１枠４１と略同形状の環状に形成されている。なお、図示例では、蓋本体５１の下面の一部分がフランジ部５２の一部に含まれている。また、例えば、蓋部５を全閉位置にしたときに蓋本体５１と枠部４が接するような場合（例えば、蓋本体５１の下面を平坦状に形成した場合など）、前記フランジ部５２を省略してもよい。
蓋本体５１の一方端部には、舌状の蓋指掛け部５３が延出されている。この蓋指掛け部５３は、蓋部５が全閉位置にあるときに、枠部４（第２枠４２）よりも外側に突出する程度で延出されている。図示例では、蓋指掛け部５３は、フランジ部５２の外側に延出されており、貝殻を象った一部の形状を成している。
【００１５】
蓋部５は、ヒンジ部６１を介して間接的に又は直接的に支持部３に回動可能に設けられている。詳しくは、蓋本体５１の、前記蓋指掛け部５３とは反対側には、接続部６２が連結されている。前記接続部６２には、ヒンジ部６１を介して固着部６３が設けられている。前記固着部６３は、枠部４（例えば第２枠４２のアーム部４４の被固着部４６）に取り付けられる部分であり、前記接続部６２は、蓋本体５１と固着部６３を繋ぐ部分である。前記ヒンジ部６１は、前記固着部６３と接続部６２の間に設けられている。固着部６３には、被固着部４６に嵌着される板状の一対の挟持部６４，６５（第１挟持部６４及び第２挟持部６５）が設けられている。ヒンジ部６１は、例えば、材料を薄肉状に切り欠くことによって形成されている。なお、ヒンジ部６１は、前記切り欠いた薄肉状の構造に限られず、例えば、上述の第１枠４１と第２枠４２のヒンジ部の構造やいわゆる蝶番構造などを採用してもよい（図示せず）。固着部６３と接続部６２の間の幅方向略中央部には、両者の一部分に跨がる穴部６６が形成されている。なお、幅方向略中央部に前記穴部６６が形成されているため、前記ヒンジ部６１は、前記穴部６６を基準として幅方向両側にそれぞれ設けられている。前記接続部６２の下面には、前記穴部６６に対応して、板状の仮係止部６７が下方に突出されている。仮係止部６７と第１挟持部６４には、前記穴部６６の幅と略同幅又は穴部６６の幅よりも幅狭の架橋部６８が架け渡されている。
なお、架橋部６８は、固着部６３と接続部６２に架け渡されていればよく、前記のように仮係止部６７と第１挟持部６４に架け渡される場合に限定されるものではない。例えば、固着部６３及び接続部６２にそれぞれ別の突出部を設け、その２つの突出部に架橋部６８が架け渡されていてもよく（図示せず）、或いは、固着部６３及び接続部６２に直接的に架橋部６８が架け渡されていてもよい（図示せず）。
【００１６】
図４に示すように、前記一対の挟持部６４，６５を被固着部４６に嵌着することにより、固着部６３が第２枠４２に取り付けられている。固着部６３が第２枠４２に取り付けられた蓋部５は、ヒンジ部６１にて回動可能である。なお、第２枠４２は支持部３に取り付けられているので、蓋部５は、第２枠４２を介して支持部３に取り付けられている（つまり、蓋部５は、間接的に支持部３に設けられている）。蓋部５が全閉位置にあるときには、第１挟持部６４、架橋部６８及び仮係止部６７は、収容空隙部４７に収容される。この際、仮係止部６７の前面６７ａが、第２枠４２の外周面４２ａに当たるように設計されている。このように仮係止部６７の前面６７ａが第２枠４２の外周面４２ａに当たることにより、全閉位置にある蓋部５が不用意に回動せず、蓋部５が全閉位置において止まるように構成されている。なお、特に図示しないが、支持部３に被固着部を設け、これに蓋部５の固着部を取り付けるように変更してもよい。つまり、蓋部５が直接的に支持部３に設けられるように変更してもよい。蓋部５、接続部６２、固着部６３及び架橋部６８は、ポリエチレン、ポリプロピレンなどの汎用的な合成樹脂などから形成され、好ましくは、合成樹脂の一体成形品から構成されている。
【００１７】
図１０及び図１１は、取付け部２を構成する部材を示す。
図１乃至４、図１０及び図１１を参照して、取付け部２は、帯状部２１と、ロック部２２と、を有する。ロック部２２は、帯状部２１の一方端部に設けられている。帯状部２１の面内には、その長手方向に沿って一定間隔で複数の溝２３（いわゆるセレーション）が形成されている。帯状部２１の反対側の端部をロック部２２に挿入することにより、ロック部２２の爪（図示せず）が前記溝２３に係合し、帯状部２１をリング状に形成できる。また、ロック部２２の爪解除部２４を押圧することにより、帯状部２１のリング長さを調整できる。このような帯状部２１及びロック部２２を有する部材は、一般に結束バンドと呼ばれる。
本考案の帯状部２１には、長さを表す目印が設けられている。前記目印は、例えば、センチメートル単位、ミリメートル単位などの所定の長さ単位で表されたものである。前記目印としては、図１０に示すような長さを表す数字２５（例えば、ミリメートルの数字）、図１０及び図１１に示すような所定長さ毎に形成された凹部２６又は凸部（図示例では、帯状部２１の縁に１０ミリメートル毎に刻み状の凹部２６を形成している）などが挙げられる。
取付け部２は、接続部材３３を介して支持部３に設けられている。接続部材３３は、支持部３の孔部３４に抜き出し困難な状態で嵌入されている。帯状部２１が前記接続部材３３の挿通部３５に挿通されることによって、取付け部２が支持部３に取り付けられている。なお、取付け部２は、接続部材３３を介して、支持部３に対して回転可能（前記孔部３４の中心周りに回転可能）な状態で取り付けられていてもよく、或いは、支持部３に固定的に取り付けられていてもよい。
【００１８】
本考案の簡易ゴミ入れ１は、図３及び図４に示す全閉位置から蓋部５を起こすことにより、ヒンジ部６１を回動中心として蓋部５を回動させ、図１２及び図１３に示すように、蓋部５を全開位置にすることができる。蓋部５が全開位置となると、枠部４の開口が開放され、ゴミ袋８の挿入口からゴミを袋内に簡単に入れることができる。前記蓋部５を回動させている途中においては、架橋部６８及び／又は架橋部６８と仮係止部６７の連結部分及び／又は架橋部６８と第１挟持部６４の連結部分が僅かに伸びる又は変形する。そして、図１３に示すように、蓋部５が枠部４に対して鈍角を成して起立した時点で（つまり、蓋部５が全開位置になった時点で）、前記架橋部６８などの伸び又は変形が復元し、架橋部６８が、鋭角状を成した接続部６２と固着部６３の間に介在する。なお、架橋部６８は、穴部６６に対応して設けられているので、前述のように、鋭角状を成した接続部６２と固着部６３の間に架橋部６８が介在できるようになる。このように鋭角状を成した接続部６２と固着部６３の間に架橋部６８が介在することにより、全開位置において蓋部５が止まるように構成されている。なお、蓋部５が枠部４に対して鈍角を成すとは、図１３に示すように、蓋部５の下面（フランジ部５２の下面）と枠部４の上面（第２枠４２の上面）との成す角度αが鈍角であるという意味であり、接続部６２と固着部６３が鋭角状を成すとは、図１３に示すように、接続部６２の上面と固着部６３の上面との成す角度βが鋭角であるという意味である。
一方、全開位置にある蓋部５を枠部４側へと回動させると、図１４及び図１５に示すように、蓋部５が全閉位置になる前に、仮係止部６７の下方前端６７ａが枠部４の上面（第２枠４２の上面４２ｂ）に仮係止される。このため、蓋部５を回動させると、全閉位置になる前に、一旦、蓋部５は半開位置で止まるように構成されている。なお、前記のように全開位置から全開位置へと蓋部５を回動させた際に、仮係止部６７が枠部４に係止されるように、仮係止部６７の下方への突出長さが設計されている。
【００１９】
本考案の簡易ゴミ入れ１は、取付け部２を介して、任意の固定対象に取り付けて使用される。前記固定対象とは、使用者が簡易ゴミ入れ１を固定しようとする対象であって、例えば、釣り船などの船の構造部材（例えば、船縁のパイプなど）、自動車の構造部材（例えば、車内の取っ手など）、椅子やテーブルの構造部材（例えば、椅子のアームなど）などが挙げられる。
例えば、図１６に示すように、取付け部２を、釣り船の船縁９１に設けられたパイプ９２に取り付けることによって、個々の釣り人が釣り座に自分用ゴミ入れを設置できる。釣り人は、廃棄仕掛けなどのゴミ９３を挿入口からゴミ袋８に入れることができるので、ゴミ９３を水中に捨てることを防止でき、マナーの向上を期待できる。このように本考案の簡易ゴミ入れは、釣り用のゴミ入れとして好適である。もっとも、本考案の簡易ゴミ入れは、釣りの際に使用される場合に限定されるわけではない。
ゴミ袋８は、上方に挿入口が形成された袋状のものであれば特に限定されず、樹脂フィルム製のゴミ袋、不織布製のゴミ袋、紙製のゴミ袋、網状のゴミ袋などを用いることができる。
【００２０】
本考案の簡易ゴミ入れ１は、蓋部５が設けられているので、ゴミ袋８内に水などのゴミ以外のものが入り難くなる。また、取付け部２が設けられているので、簡易ゴミ入れ１を所望の場所に取り付けて使用できる。
さらに、蓋部５が全開位置及び全閉位置においてそれぞれ止まるように構成されているので、例えば、風によって全開位置にある蓋部５が閉じられる又は全閉位置にある蓋部５が開かれることを防止できる。また、蓋部５が半開位置において止まるように構成されているので、全開位置の蓋部５を回動させたときに、蓋部５がいきなり枠部４の開口を塞がず、蓋部５の開閉を操作し易くなる。なお、半開位置にある蓋部５を下方に押し込むことにより、仮係止部６７が枠部４の上面から外れ、蓋部５を全閉位置にすることができる。
また、取付け部２の帯状部２１に長さを表す目印２５，２６が設けられているので、その帯状部２１を、例えば、釣った魚の長さ、仕掛けの長さなどを計測するメジャーとして利用することもできる。
【符号の説明】
【００２１】
１…簡易ゴミ入れ、２…取付け部、２１…帯状部、２２…ロック部、２５，２６…目印、３…支持部、４…枠部、４１…第１枠、４２…第２枠、５…蓋部、６１…ヒンジ部、６２…接続部、６３…固着部、６７…仮係止部、６８…架橋部、８…ゴミ袋
【図１】
0003235172.tif 000003
【図２】
0003235172.tif 000004
【図３】
0003235172.tif 000005
【図４】
0003235172.tif 000006
【図５】
0003235172.tif 000007
【図６】
0003235172.tif 000008
【図７】
0003235172.tif 000009
【図８】
0003235172.tif 000010
【図９】
0003235172.tif 000011
【図１０】
0003235172.tif 000012
【図１１】
0003235172.tif 000013
【図１２】
0003235172.tif 000014
【図１３】
0003235172.tif 000015
【図１４】
0003235172.tif 000016
【図１５】
0003235172.tif 000017
【図１６】
0003235172.tif 000018